(57)【要約】【課題】モニタ視聴者の姿勢に応じて、それぞれのモニタに必要な画像を表示させることができ、モニタ視聴者が複数のモニタを視聴する際の視認性や操作性に優れるとともに省電力性にも優れた表示システムを提供する。【解決手段】互いに離隔して配置されたモニタと、その正対方向を変更自在とした椅子の各モニタに対する対向姿勢を検出する対向姿勢検出手段と、椅子の正対方向に配置されたモニタ又は椅子の正対方向に最も近接して配置されたモニタを特定するモニタ特定手段と、特定された特定モニタに画像を表示させる画像表示制御手段とを備える表示システムとした。【選択図】図２
2008096522.tif 000002
【特許請求の範囲】
【請求項１】
正対方向を変更自在とした椅子と、
互いに離隔して配置された複数のモニタと、
前記椅子の前記各モニタに対する対向姿勢を検出する対向姿勢検出手段と、
この対向姿勢検出手段による検出結果に基づき、前記椅子の正対方向に配置されたモニタ、又は椅子の正対方向に最も近接して配置されたモニタを特定するモニタ特定手段と、
前記複数のモニタのうち、少なくとも前記モニタ特定手段により特定された特定モニタに画像を表示させる画像表示制御手段と、
を備えることを特徴とする表示システム。
【請求項２】
前記椅子は設置面に対して水平方向に回転自在であり、
前記対向姿勢検出手段は、前記椅子の回転角度を検出することを特徴とする請求項１記載の表示システム。
【請求項３】
前記椅子は設置面を移動自在であり、
前記椅子と前記特定モニタとの距離を検出する距離検出手段をさらに備え、
前記画像表示制御手段は、
前記距離検出手段による検出結果に応じて、前記特定のモニタにおける画像表示領域を拡縮する制御を実行することを特徴とする請求項１又は２に記載の表示システム。
【請求項４】
複数の壁面に前記モニタが取り付けられていることを特徴とする請求項１〜３のいずれか１項に記載の表示システム。
【発明の詳細な説明】
【技術分野】
【０００１】
本発明は複数のモニタを視聴する作業者の状態に応じてモニタの表示状態を適正に制御することのできる表示システムに関する。
【背景技術】
【０００２】
従来、表示装置として、壁掛け式の液晶テレビやコンピュータなどのモニタ装置が知られている。このようなモニタ装置を複数備えたものの表示システムに関連して、例えば、特許文献１には、部屋の壁、天井、床などに配置したＬＣＤスクリーンの前部および後部に物理的に配置された物体と、前記ＬＣＤスクリーン上に表示されるキャラクタを前記物体とを仮想的に関連付けて動くようにプログラムされた表示手段とを備えてなる玩具が記載されている。
【０００３】
また、会社などで用いられるパーソナルコンピュータ（以下「ＰＣ」と表記する場合がる）についても、そのモニタを机上に置くのではなく、パーテーションなどの壁面に設置することで、見るものの姿勢を良くしたり疲労感を緩和させたりすることが考えられている。
【特許文献１】特開２００６ー２１８２９３号公報
【発明の開示】
【発明が解決しようとする課題】
【０００４】
しかしながら、前記従来の技術では、モニタ視聴者の姿勢などに応じて、それぞれのモニタに必要な画像を表示させることができないため、その姿勢に応じた適正画像を視認することができず、無駄なモニタを作動させて消費電力が増大させるという欠点があった。
【０００５】
また、モニタが置かれる事務所などの壁面には種々の書類を貼っていたり荷物を置いたりしている場合もあり、モニタを設置する位置を変更する必要があって非常に不便となる。
【０００６】
本発明は、前記従来の課題を解決するためになされたもので、モニタ視聴者の姿勢に応じて、それぞれのモニタに必要な画像を表示させることができ、モニタ視聴者が複数のモニタを視聴する際の視認性や操作性に優れるとともに省電力性にも優れた表示システムを提供することを目的とする。
【課題を解決するための手段】
【０００７】
（１）本発明の表示システムは、正対方向を変更自在とした椅子と、互いに離隔して配置された複数のモニタと、前記椅子の前記各モニタに対する対向姿勢を検出する対向姿勢検出手段と、この対向姿勢検出手段による検出結果に基づき、前記椅子の正対方向に配置されたモニタ、又は椅子の正対方向に最も近接して配置されたモニタを特定するモニタ特定手段と、前記複数のモニタのうち、少なくとも前記モニタ特定手段により特定された特定モニタに画像を表示させる画像表示制御手段と、を備えるように構成されている。
【０００８】
（２）本発明の表示システムは前記（１）において、前記椅子は設置面に対して水平方向に回転自在であり、前記対向姿勢検出手段は、前記椅子の回転角度を検出することにも特徴を有している。
【０００９】
（３）本発明の表示システムは前記（１）又は（２）において、前記椅子は設置面を移動自在であり、前記椅子と前記特定モニタとの距離を検出する距離検出手段をさらに備え、前記画像表示制御手段は、前記距離検出手段による検出結果に応じて、前記特定のモニタにおける画像表示領域を拡縮する制御を実行することにも特徴を有している。
【００１０】
（４）本発明の表示システムは前記（１）〜（３）において、複数の壁面に前記モニタが取り付けられていることにも特徴を有している。
【発明の効果】
【００１１】
本発明によれば、予め複数のモニタを設置しておき、モニタ視聴者が座る椅子の向きに応じたモニタに必要な画像を表示させることができるので、モニタ視聴者は自分の好きな姿勢で画像を視認することが可能となる。
【発明を実施するための最良の形態】
【００１２】
本実施形態の表示システムは、正対方向を変更自在とした椅子と、互いに離隔して配置された複数のモニタと、前記椅子の前記各モニタに対する対向姿勢を検出する対向姿勢検出手段と、この対向姿勢検出手段による検出結果に基づき、前記椅子の正対方向に配置されたモニタ、又は椅子の正対方向に最も近接して配置されたモニタを特定するモニタ特定手段と、前記複数のモニタのうち、少なくとも前記モニタ特定手段により特定された特定モニタに画像を表示させる画像表示制御手段とを備えるように構成されている。これよって、モニタ視聴者の姿勢に応じてそれぞれのモニタに必要な画像を表示させることができ、複数のモニタを視聴する際の視認性や操作性、さらには省電力性などに優れた表示システムとすることができる。
【００１３】
表示システムはその全体を管理する制御部を有しており、一般家庭における書斎などの他に、多数のＰＣが配置されたオフィスルームや、ゲーム機が配されたゲームセンタなどの複数のモニタが設けられた場所に適用することができる。
【００１４】
椅子は、複数のモニタに対する正対方向を変更自在としたキャスタや背もたれなどを有した可動部と、表示システムを構成するオフィスルームなどの基準位置に対する可動部の相対角度や距離、座標点などの姿勢データを検知するための姿勢センサと、姿勢データを表示システムの制御部に発信するための信号発信部などを備えている。
【００１５】
モニタは、オフィスルームなどの壁面などに互いに離隔して複数配置された液晶表示装置や陰極線管式表示装置などであって、表示システムを管理するＰＣやゲーム機などの制御部にインターフェースを介して連結されている。
【００１６】
対向姿勢検出手段は前記椅子の前記各モニタに対する対向姿勢を検出するための装置であって、椅子に設けられた姿勢センサやその信号発信部、制御部に設けられた信号受信部などを有して構成される。
【００１７】
モニタ特定手段は前記制御部にその機能が担われており、対向姿勢検出手段による検出結果に基づき、椅子の正対方向に配置されたモニタ、又は椅子の正対方向に最も近接して配置されたモニタを特定することができる。
【００１８】
画像表示制御手段もまた前記制御部にその機能が担われており、前記複数のモニタのうち、少なくとも前記モニタ特定手段により特定された特定モニタに画像を表示させるようになっている。
【００１９】
また、本実施形態の表示システムは、前記椅子は設置面に対して水平方向に回転自在であり、前記対向姿勢検出手段は、前記椅子の回転角度を検出することができる。これによって予め制御部の記憶部に記憶された各モニタ配置と検出された回転角度とのデータに基づいて、椅子の正対方向に配置されたモニタを効果的に特定することができる。
【００２０】
本実施形態の表示システムでは、前記椅子は設置面を移動自在であり、前記椅子と前記特定モニタとの距離を検出する距離検出手段をさらに備え、前記画像表示制御手段は、前記距離検出手段による検出結果に応じて、前記特定のモニタにおける画像表示領域を拡縮する制御を実行することもできる。これによってモニタ視聴者が正対するモニタにおける画像表示領域を適正に拡縮することができ、いつでも見やすい視認性に優れた画像をモニタ上に表示することができる。
【００２１】
距離検出手段は、例えば、オフィスルームなどの床面上における椅子のＸＹ座標位置を検出するための位置センサなどであって、センサから取得された椅子の位置データと、予め記憶された各モニタの配置位置のデータとに基づいて各モニタに対する距離をそれぞれ算出することができるようになっている。
【００２２】
本実施形態の表示システムは、複数の壁面に前記モニタを取り付けることもできる。これによって、正面及びその左右側面などの壁面に複数のモニタを配置することができるので、多数の画像情報を処理する際におけるモニタの視認性や利便性をさらに高めることができる。
【実施例１】
【００２３】
図１は本発明の実施例１における表示システムの斜視図であり、図２は同表示システムのブロック構成図である。
【００２４】
実施例１の表示システム１０は、全体が略箱型に形成されたオフィスルーム１１の正面壁及びその左右両壁面にそれぞれ配置されたモニタ１２〜１４と、各モニタ１２（１３）（１４）に対してその正対方向を変更自在としてモニタ視聴者が着座するための椅子１５と、モニタ１２の手前側壁面に配置されモニタ操作のためのキーボード１６やマウス１７、モニタの画像表示を制御するための制御部１８などを備えたテーブル１９とを備えて構成されている。
【００２５】
オフィスルーム１１の中央に配置される椅子１５は、図１に示すように、その脚部に設けられた４個のキャスタ１５ａを介して回転自在及び移動自在になっており、そのキャスタ１５ａによって支持される支柱１５ｂには、図２に示すように、椅子本体の角度（例えばモニタ１２に正対する方向を基準線としてこの基準線に対する角度）を検出するための姿勢センサ１５ｃと、この検出された角度を制御部１８に送信するための信号発信部１５ｄとが設けられている。
【００２６】
制御部１８は例えば、ゲーム機やＰＣ（パーソナルコンピュータ）などの動作を制御するためのＣＰＵやメモリを備えて構成される制御回路部であり、各モニタ１２〜１４上に映像信号を送信する機能を有している。
【００２７】
この制御部１８には、信号受信部１８ａを介して椅子１５の信号発信部１５ｄから姿勢角度データを取得して、互いに離隔して配置されたモニタ１２〜１４に対する椅子１５の対向姿勢を検出するための対向姿勢検出部２０と、この対向姿勢検出部２０による検出結果に基づいて、椅子１５の正対方向に配置されたモニタや椅子１５の正対方向に最も近接して配置されたモニタを特定するためのモニタ特定手段２１と、モニタ特定手段２１により特定された特定モニタに画像を表示させるための画像表示制御手段２２とを備えている。
【００２８】
すなわち、本実施例では、椅子１５に設けられた姿勢センサ１５ｃ及び信号発信部１５ｄと、制御部１８に接続される信号受信部１８ａ及び対向姿勢検出部２０とで対向姿勢検出手段が構成される。
【００２９】
信号発信部１５ｄ及び信号受信部１８ａは、無線通信によりデータが伝達される形態のものが適用でき、電波によるものの他に赤外線、可視光線等（レーザー等）を用いた光無線通信、音波または超音波を用いた音響通信手段などが含まれる。なお、このような無線手段を用いることなく、椅子１５及び制御部１８間に信号を伝達する有線ケーブルで直接接続して用いることもできる。
【００３０】
姿勢センサ１５ｃには、例えば、磁気量を電気量に変換するホールセンサを用いた非接触回転角度検出用センサデバイスなどの非接触回転角センサや機械式ジャイロ、流体式ジャイロ、光学式ジャイロ、振動ジャイロなどを適用したジャイロ式センサなどが適用でき、基準方向となる着磁した磁石の回転角度を絶対角度で検出することができる。なお、姿勢センサは椅子１５の支柱１５ｂが基準線に対する回転角度を検出する他に、椅子１５の背もたれ部１５ｅの傾斜角度や、椅子１５の高さなどの椅子データも同時に検出するように設けることができ、モニタ視聴者の姿勢をより的確精密に検出して、これをモニタ１２〜１４の表示に反映させることも可能である。
【００３１】
以下、表示システム１０におけるモニタ表示処理について、図３に示すフローチャート及び図４〜図６に示す表示システムの説明図を参照して説明する。なお、モニタ表示処理のルーチンは、制御部１８におけるオフィスツールやゲームやなどのアプリケーションを実行するためのプログラムなどにおいて、そのメインルーチンから所定の時間間隔で呼び出されて実行されるようになっている。
【００３２】
図３のフローチャートに示すように、モニタ表示処理のルーチンにおける最初のステップＳ１では、椅子１５の信号発信部１５ｄから発信される姿勢センサ１５ｃの基準線となるモニタ１２への正対方向に対する回転角度θ（図４参照）である姿勢データが信号受信部１８ａを介して制御部１８の記憶部に取得される。
【００３３】
次のステップＳ２のモニタ特定処理においては、予め記憶されている各モニタ１２〜１４への回転角度（基準線に対する角度θ１、θ２、θ３）と、前記ステップＳ１で取得した回転角度θとに基づいて、椅子１５の正対方向に配置されたモニタもしくは、椅子１５の正対方向に最も近接して配置されたモニタを特定する。すなわち、｜θ１−θ｜、｜θ２−θ｜、｜θ３−θ｜の内で最小値を与えるモニタが特定モニタとして設定される。
【００３４】
こうして、図４及び図５に示すように、オフィスルーム１１のほぼ中央でその正対方向を変更自在とした椅子１５の回転角度θに基づいて、椅子１５に正対するモニタが特定される。例えば、図４（ａ）では正面壁に取付けられたモニタ１２が、図４（ｂ）では左側壁に設けられたモニタ１３が、図４（ｃ）では右側壁に設けられたモニタ１４がそれぞれ特定モニタとして設定されることとなる。
【００３５】
最後の画像表示制御処理を行うステップＳ３では、前記ステップＳ２で特定された椅子１５に最も正対したり最も近接したりした特定モニタにアプリケーションによるゲーム画像などを表示させる。このとき、特定モニタとは異なる他のモニタの画像を消去したり、省電力モードとなる低輝度で表示させたりする処理がなされる。
【００３６】
以上説明したように実施例１の表示システム１０では、複数のモニタ１２〜１４に対する椅子１５の対向姿勢を検出して、椅子１５の正対方向に配置されたモニタ、又は椅子の正対方向に最も近接して配置された特定モニタに画像を優先表示させることができるので、椅子１５に着座するモニタ視聴者の姿勢に応じた視認性や操作性、省電力性などに優れた表示システム１０とすることができる。
【実施例２】
【００３７】
図６は本発明の実施例２における表示システムの説明図である。
【００３８】
図示するように実施例２の表示システム３０は、オフィスルーム１１の床面（設置面）をキャスタ３１ａを介して移動自在に配置された椅子３１と、椅子３１に配置された発信装置３２と、発信装置３２の位置を検出して機の各モニタ１２〜１４と椅子３１との距離を検出するための距離検出手段を構成して制御部１８に接続される位置センサ３３とを備えている。なお、実施例２の表示システム３０は前記実施例１の表示システム１０に距離検出手段を付加したものであり、対向姿勢検出手段など、第１実施例と同様の機能を有するものについては同一の符号を付してその説明を省略する。
【００３９】
発信装置３２の位置を検出するための位置センサ３３は、例えば、略四角形状の床面を縦横のＸＹ座標面とみなして、発信装置３２の位置をそのＸ、Ｙ座標点として取得するための発光素子と受光素子の対からなる長尺の光センサをそれぞれ縦横に配置して構成することができる。
【００４０】
こうして、予め記憶された各モニタ１２〜１４の座標点と、椅子３１の座標点及び姿勢センサ１５ｃで取得される椅子３１の回転角度θとのデータが取得される。制御部１８のモニタ特定手段２１では、椅子３１の正対方向に配置されたモニタ、又は椅子の正対方向に最も近接して配置されたモニタを特定する。そして、画像表示制御手段２２がこの特定モニタに画像を表示させるようになっている。なお、前述した対向姿勢検出手段及び距離検出手段を、床面上に配置された椅子の位置及び姿勢を撮像するためのデジタルカメラなどを備えた椅子撮影手段で兼用することも可能である。この場合には、周知の画像解析処理によって撮像された画像から椅子の姿勢や位置などのデータが取得できる。
【００４１】
表示システム３０においては、距離検出手段を介して特定モニタと椅子３１との距離Ｌが算出できるので、その検出結果に応じて特定モニタにおける画像表示領域を拡縮する制御を実行することができる。すなわち、図６に示すように特定モニタがモニタ１２であって、椅子３１とこれに正対するモニタ１２との距離ＬがＬ１からＬ２に変化したときには、図７に示すようにモニタ１２上に所定面積で表示可能な第１の画像表示領域１２ａを、より拡大された第２の画像表示領域１２に切り替える制御が画像表示制御手段２２を介してなされるようになっている。
【００４２】
すなわち、距離検出手段により、特定モニタとして設定されたモニタ１２と椅子１５との距離に応じて、モニタ１２上の画像表示領域を拡大又は縮小するように制御することができる。したがって、椅子１５とモニタ１２との距離が近ければ（Ｌ１）、図５に示すように所定広さの面積の第１の画像表示領域１２ａで画像表示し、椅子１５と特定モニタとの距離が遠くなった（Ｌ２）ことを検出すれば、表示面積を拡大した第２の画像表示領域１２ｂに拡大するように変化させるのである。当然、その逆の制御も可能であり、第２の画像表示領域１２ｂから第１の画像表示領域１２ａのように縮小することもできる。
【００４３】
なお、椅子３１に光学式マウスなどの移動量検知部を床面に向けて配置しておき、このマウス信号を、無線通信手段を介して制御部１８の受信部に送信することで、椅子３１の床面上における座標位置を取得するようにしてもよい。
【００４４】
実施例２の表示システム３０では、オフィスルーム１１に設けられた椅子３１がその床面を縦横に移動自在であり、椅子３１と各モニタ１２〜１４との距離を検出するための距離検出手段を備えているので、特定のモニタにおける画像表示領域を拡縮してモニタ視聴者が正対するモニタにおける画像表示領域が適正にされ、いつでも見やすい視認性に優れた画像をモニタ上に表示することができる。
【００４５】
上述してきた実施例１、２において、各モニタに表示される内容は、全て同一の表示内容とすることもできるし、例えば、モニタ１２ではワープロ作業、モニタ１３では作図作業、モニタ１４ではインターネットなどによる検索作業などを行うといった、各モニタ毎に異なるアプリケーションソフトによる異なった表示を行わせて複数の作業を行っている場合、椅子の向きによって行うべき作業が選択されるようにしてもよい。
【００４６】
以上、説明したように本発明の表示システムは、複数のモニタに対する椅子の対向姿勢を検出して、前記椅子の正対方向に配置されたモニタ、又は椅子の正対方向に最も近接して配置された特定モニタに画像を表示させることを要旨としたものであり、これに該当するものは本発明の権利範囲に属する。
【００４７】
例えば、本実施形態及び各実施例の表示システムでは、ＰＣなどを有したオフィスルームにおける適用例について述べたが、多数のモニタを用いてより立体的で効果的な演出表示を必要とするようなゲームセンタなどにおいても本発明の表示システムを適用することも可能である。
【００４８】
また、各実施例における姿勢検出手段などの構成はその一例を示すものであって、これによって本発明が限定されるものではない。
【図面の簡単な説明】
【００４９】
【図１】実施例１における表示システムの斜視図である。
【図２】同表示システムのブロック構成図である。
【図３】同表示システムのモニタ表示処理のフロー図である。
【図４】同表示システムの平面説明図である。
【図５】同表示システムの正面及び側面説明図である。
【図６】実施例２における表示システムの説明図である。
【図７】同表示システムのモニタ表示領域の説明図である。
【符号の説明】
【００５０】
１０    実施例１の表示システム
１１    オフィスルーム
１２〜１４    モニタ
１５    椅子
１５ａ    キャスタ
１５ｂ    支柱
１５ｃ    姿勢センサ
１５ｄ    信号発信部
１５ｅ    背もたれ部
１６    キーボード
１７    マウス
１８    制御部
１８ａ  信号受信部
１９    テーブル
２０    対向姿勢検出部
２１    モニタ特定手段
２２    画像表示制御手段
３０    実施例２の表示システム
３１    椅子
３２    発信装置
３３    位置センサ
【図１】
2008096522.tif 000003
【図２】
2008096522.tif 000004
【図３】
2008096522.tif 000005
【図４】
2008096522.tif 000006
【図５】
2008096522.tif 000007
【図６】
2008096522.tif 000008
【図７】
2008096522.tif 000009